(57)【特許請求の範囲】
【請求項１】
基地局を介した加入者のＶＯＤサービス要求信号に応じて、ＶＯＤサーバーから移動通信端末機に所定の映像データを伝送するＶＯＤサービスシステムにおいて、
前記ＶＯＤサーバーが、前記基地局と前記移動通信端末機との間に伝送される電力制御情報を前記基地局から周期的に受信して前記移動通信端末機のデータ受信状態を分析する過程と、
前記電力制御情報に基づいて該ＶＯＤサーバーが前記移動通信端末機に伝送されている映像データの伝送速度を変更する過程と、
を包含することを特徴とするＶＯＤサービスシステムのデータ伝送速度変更方法。
【請求項２】
基地局を介した加入者のＶＯＤサービス要求信号に応じて、ＶＯＤサーバーから移動通信端末機に所定の映像データを伝送するＶＯＤサービスシステムにおいて、
前記ＶＯＤサーバーから前記移動通信端末機に映像データが伝送されている間に、該移動通信端末機から前記基地局に、該移動通信端末機の電力制御情報を伝送する過程と、
前記ＶＯＤサーバーから前記基地局に前記電力制御情報が要請されると、該基地局に受信された前記電力制御情報を該ＶＯＤサーバーに伝送して該ＶＯＤサーバーが受信する過程と、
該ＶＯＤサーバーに伝送された前記電力制御情報に含まれる前記移動通信端末機のデータ受信状態に応じて該ＶＯＤサーバーから前記移動通信端末機に伝送されている映像データの伝送速度を変更する過程と、
を順次行うことを特徴とするＶＯＤサービスシステムのデータ伝送速度変更方法。
【請求項３】
前記基地局は、前記移動通信端末機から前記電力制御情報が伝送されると該前記電力制御情報を更新することを特徴とする請求項１または２に記載のＶＯＤサービスシステムのデータ伝送速度変更方法。
【請求項４】
前記ＶＯＤサーバーが前記電力制御情報を受信する過程において、該ＶＯＤサーバーは、前記基地局から周期的に前記電力制御情報を受信することを特徴とする請求項１または２に記載のＶＯＤサービスシステムのデータ伝送速度変更方法。
【請求項５】
基地局を介した加入者のＶＯＤサービス要求信号に応じて、ＶＯＤサーバーから移動通信端末機に所定の映像データを伝送するＶＯＤサービスシステムにおいて、
前記移動通信端末機が前記映像データ受信状態の変化を感知する過程と、
前記移動通信端末機において、前記映像データの受信状態が変化すると、上位プロトコルパケットに、該映像データの電力制御情報を含ませて、前記基地局を介して前記ＶＯＤサーバーに伝送する過程と、
伝送された上位プロトコルパケットに含まれた前記電力制御情報の前記映像データの受信状態に基づいて前記ＶＯＤサーバーから前記移動通信端末機に伝送されている映像データの伝送速度を変更する過程と、
を順次行うことを特徴とするＶＯＤサービスシステムのデータ伝送速度変更方法。
【請求項６】
前記移動通信端末機は、前記映像データの受信状態が変化される場合だけ前記上位プロトコルパケットを形成して伝送することを特徴とする請求項５に記載のＶＯＤサービスシステムのデータ伝送速度変更方法。
【発明の詳細な説明】
【０００１】
【発明の属する技術分野】
本発明は、ビデオ・オン・デマンド（Ｖｉｄｅｏ  Ｏｎ  Ｄｅｍａｎｄ；以下、ＶＯＤと略称す）サービスシステムに係るもので、詳しくは、電力制御情報を利用したＶＯＤサービスシステムのデータ伝送速度変更方法に関するものである。
【０００２】
【従来の技術】
最近、移動通信技術の発達に伴い移動通信端末機を介して各種サービスを提供するコンテンツ（ｃｏｎｔｅｎｔｓ）に対する関心が増加され、よって、良質のサービスを提供するための効率的な無線データ通信方法の必要性が台頭されている。特に、動映像及びマルチメディア機能のような大容量データ通信を支援する移動通信端末機に対する関心が急増することに従って、良質の大容量データサービスをリアルタイムで提供するための技術が必要とされ、その代表的な例がビデオ・オン・デマンド（Ｖｉｄｅｏ  Ｏｎ  Ｄｅｍａｎｄ；ＶＯＤ）サービスである。
【０００３】
即ち、ＶＯＤサービスは、映像データに関するデータベースを構築した後、使用者の要求に応じて映像データをケーブルや無線などの広帯域伝送路を通じて家庭または移動端末機に伝送するサービスであって、使用者は前記ＶＯＤサービスを利用して所望のプログラムをリアルタイムで楽しむことができる。
【０００４】
しかし、ＶＯＤサービスは、映像データの伝送速度によって画質または音質の変化が発生するため、映像データの受信状態に応じてデータの伝送速度を適切に変更すべきであった。
【０００５】
従来ＶＯＤサービスシステムの構成においては、図３に示したように、映像サービス要求信号を伝送する移動通信端末機１と、該移動通信端末機１の映像サービス要求信号に応じて映像データサービスを提供するＶＯＤサーバー２と、該ＶＯＤサーバー２と移動通信端末機１間に位置してデータ伝送経路を提供する基地局３と、により構成されてある。
【０００６】
以下、このように構成された従来ＶＯＤサービスシステムの動作について説明する。
【０００７】
即ち、使用者が移動通信端末機１を操作して基地局３に映像サービス要求信号を伝送すると、該基地局３は、無線網を通じて伝送された映像サービス要求信号を有線網によってＶＯＤサーバー２に伝送し、該ＶＯＤサーバー２は、受信された映像サービス要求信号に応じて所定の映像データを前記基地局３を介して前記移動通信端末機１に伝送することでＶＯＤサービスを提供する。この時、前記ＶＯＤサーバー２は、定められた速度で映像データを伝送する。
【０００８】
この状態で前記基地局３と移動通信端末機１間の通信チャンネル環境が変化すると、前記移動通信端末機１は、前記ＶＯＤサーバー２から伝送される映像データのパケットエラー率（Ｐａｃｋｅｔ  Ｅｒｒｏｒ  Ｒａｔｅ）及び信号対雑音の比（Ｅｂ／Ｎｏ）を測定して、図４に示したように、データの受信状態に対する情報を上位プロトコルパケットのヘッダーに挿入した後前記ＶＯＤサーバー２に伝送する。この時、前記上位プロトコルパケットは伝送制御プロトコル（Ｔｒａｎｓｍｉｓｓｉｏｎ  Ｃｏｎｔｒｏｌ  Ｐｒｏｔｏｃｏｌ；ＴＣＰ）パケットのテキストに該当する。
【０００９】
従って、前記ＶＯＤサーバー２は、前記移動通信端末機１から伝送された上位プロトコルパケットのヘッダーに含まれたデータ受信状態情報を参照して、前記移動通信端末機１に伝送される映像データの伝送速度を変更する。即ち、前記移動通信端末機１と基地局３間のデータ受信状態が悪く、前記移動通信端末機１で受信した映像データにエラーが多い場合は映像データの伝送速度を低下させ、データ受信状態がに良い場合は映像データの伝送速度を増加させる。
【００１０】
【発明が解決しようとする課題】
然るに、従来ＶＯＤサービスシステムにおいては、移動通信端末機のデータ受信状態が頻繁に変化されると、移動通信端末機のデータ受信状態が含まれた上位プロトコルパケットをＶＯＤサーバーに頻繁に伝送すべきであるため、移動通信端末機の逆方向リンクのデータ伝送量が増加すると共に電力消耗が増加するという不都合な点があった。
【００１１】
且つ、従来のＶＯＤサービスシステムにおいては、ＶＯＤサーバーから伝送される映像データのパケットエラー率及び信号対雑音の比（Ｅｂ／Ｎｏ）を測定して上位プロトコルパケットを形成するため、上位プロトコルパケットの形成に時間が掛ってデータ受信状態情報を伝送する時間が遅延され、このような場合ＶＯＤサーバーは以前のデータ受信状態情報を受信することが発生されるため、ＶＯＤサーバーがデータ受信状態に応じてリアルタイムでデータ伝送速度を変更し得ないという不都合な点があった。
【００１２】
本発明は、このような従来の課題に鑑みてなされたもので、逆方向リンクのデータ伝送量及び移動通信端末機の電力消耗を低減し得る、ＶＯＤサービスシステムのデータ伝送速度変更方法を提供することを目的とする。
【００１３】
本発明の他の目的は、データ受信状態に応じて映像データ伝送速度をリアルタイムで変更し得る、ＶＯＤサービスシステムのデータ伝送速度変更方法を提供しようとする。
【００１４】
本発明のその他の目的は、電力制御情報を利用して移動通信端末機のデータ受信状態情報を伝送し得る、ＶＯＤサービスシステムのデータ伝送速度変更方法を提供しようとする。
【００１５】
【課題を解決するための手段】
本発明によるＶＯＤサービスシステムのデータ伝送速度変更方法は、基地局を介した加入者のＶＯＤサービス要求信号に応じて、ＶＯＤサーバーから移動通信端末機に所定の映像データを伝送するＶＯＤサービスシステムにおいて、基地局と移動通信端末機間に伝送される電力制御情報を利用して前記移動通信端末機に伝送される映像データの伝送速度を可変させ、これにより上記目的が達成される。
【００１６】
前記電力制御情報には、動通信端末機のデータ受信状態が含まれてもよい。
【００１７】
前記ＶＯＤサーバーは、基地局から電力制御情報を周期的に受信してもよい。
【００１８】
本発明によるＶＯＤサービスシステムのデータ伝送速度変更方法は、移動通信端末機から基地局に電力制御情報を伝送する過程と、ＶＯＤサーバーから基地局に電力制御情報を要請する過程と、基地局に受信された電力制御情報に応じてＶＯＤサーバーから移動通信端末機に伝送される映像データの伝送速度を可変させる過程と、を順次行い、これにより上記目的が達成される。
【００１９】
前記基地局は、電力制御情報を更新してもよい。
【００２０】
前記電力制御情報には、移動通信端末機のデータ受信状態が含まれてもよい。
【００２１】
前記ＶＯＤサーバーは、基地局から周期的に電力制御情報を受信してもよい。
【００２２】
本発明によるＶＯＤサービスシステムのデータ伝送速度変更方法は、移動通信端末機が映像データ受信状態の変化を感知する過程と、映像データの受信状態が変化されると、上位プロトコルパケットに電力制御情報を含ませてＶＯＤサーバーに伝送する過程と、伝送された上位プロトコルパケットに含まれた電力制御情報に基づいてＶＯＤサーバーから移動通信端末機に伝送される映像データの伝送速度を可変させる過程と、を順次行い、これにより上記目的が達成される。
【００２３】
前記移動通信端末機は、映像データの受信状態が変化される場合だけ上位プロトコルパケットを形成して伝送してもよい。
【００２４】
このような目的を達成するため、本発明に係るＶＯＤサービスシステムのデータ伝送速度変更方法においては、基地局を介した加入者のＶＯＤサービス要求信号に応じてＶＯＤサーバーから移動通信端末機に所定の映像データを伝送するＶＯＤサービスシステムにおいて、基地局と移動通信端末機間に伝送される電力制御情報を利用して前記移動通信端末機に伝送される映像データの伝送速度を可変させることを特徴とする。
【００２５】
そして、前記目的を達成するため、本発明に係るＶＯＤサービスシステムのデータ伝送速度変更方法においては、移動通信端末機から基地局に電力制御情報を伝送する過程と、ＶＯＤサーバーから基地局に電力制御情報を要請する過程と、基地局に受信された電力制御情報に応じてＶＯＤサーバーから移動通信端末機に伝送される映像データの伝送速度を可変させる過程と、を順次行うことを特徴とする。
【００２６】
また、前記目的を達成するため、本発明に係るＶＯＤサービスシステムのデータ伝送速度変更方法においては、移動通信端末機が映像データ受信状態の変化を感知する過程と、映像データの受信状態が変化されると、上位プロトコルパケットに電力制御情報を含ませてＶＯＤサーバーに伝送する過程と、伝送された上位プロトコルパケットに含まれた電力制御情報に基づいてＶＯＤサーバーから移動通信端末機に伝送される映像データの伝送速度を可変させる過程と、を順次行うことを特徴とする。
【００２７】
【発明の実施の形態】
以下、本発明の実施の形態に対し、図面を用いて説明する。
【００２８】
現在、ＣＤＭＡシステムにおいては、移動通信端末機と基地局間の距離によって基地局に受信される信号電力の差が極めて大きくなる問題を解決し、全ての使用者に同質のサービスを提供して使用者の需要容量を最大化するために、データ受信状態情報が含まれた電力制御情報が移動通信端末機と基地局間で秒当たり８００回ほど交換されてある。即ち、移動通信端末機と基地局間には、移動通信端末機に受信された映像データのフレームエラー率（Ｆｒａｍｅ  Ｅｒｒｏｒ  Ｒａｔｅ）及び信号対雑音の比（Ｅｂ／Ｎｏ）など通信チャンネルの状態及び干渉を示す電力制御情報が所定時間間隔を有して交換されてある。
【００２９】
特に、ＶＯＤサーバーのように基地局を介して大容量のデータを伝送する場合は、移動通信端末機のデータ受信状態がサービス品質を決定する。従って、移動通信端末機のデータ受信状態に応じてＶＯＤサーバーはデータの伝送速度を変更すべきである。
【００３０】
本発明に係るデータ伝送速度変更方法が適用されるＶＯＤサービスシステムは、従来と同様に、移動通信端末機１と、映像データサービスを提供するＶＯＤサーバーと２と、該ＶＤＯサーバー２と移動通信端末機１間を連結する基地局３と、により構成されてある。
【００３１】
そして、本発明に係るＶＯＤサービスシステムのデータ伝送速度変更方法の第１実施形態においては、図１に示したように、先ず、移動通信端末機１は、通話連結可能な基地局３を介してＶＯＤサーバー２に接続され（Ｓ１１）、使用者は、前記移動通信端末機１の入力手段を操作して映像サービス要求信号を前記ＶＯＤサーバー２に伝送することで映像サービスを要請する（Ｓ１２）。
【００３２】
次いで、映像サービス要求信号を受信した前記ＶＯＤサーバー２は、使用者が選択した映像データを所定速度で前記基地局３を介して前記移動通信端末機１に伝送し、該移動通信端末機１のディスプレー部に出力される映像データが使用者にサービスされる（Ｓ１３）。
【００３３】
次いで、前記移動通信端末機１は、前記ＶＯＤサーバー２から提供される映像データを受信して映像データの受信状態を点検し、前記基地局３に電力制御情報を伝送する（Ｓ１４）。
【００３４】
次いで、前記基地局３は、受信された電力制御情報からデータ受信状態を分析すると同時に、前記ＶＯＤサーバー２から電力制御情報の伝送要請が入力されたかを判断して（Ｓ１５）、若し、電力制御情報の伝送要請が入力されてないと、前記基地局３は、前記移動通信端末機１と電力制御情報を継続して交換し、前記ＶＯＤサーバー２には電力制御情報を提供しない。
【００３５】
一方、前記段階（Ｓ１５）で電力制御情報の伝送要請が入力されてあると、前記基地局３は、最も最近の電力制御情報を収集して前記ＶＯＤサーバー２に伝送する（Ｓ１６）。この時、該ＶＯＤサーバー２は、所定時間間隔を有して、または、情報が必要であるときにだけ前記基地局３に電力制御情報を要請する。
【００３６】
次いで、前記ＶＯＤサーバー２は、伝送された電力制御情報に基づいてデータ受信状態が変化されたかを判断し（Ｓ１７）、判断されたデータの受信状態に応じて映像データの伝送速度を変更させる（Ｓ１８）。即ち、前記ＶＯＤサーバー２は、データ受信状態が悪いと前記移動通信端末機１に提供する映像データの伝送速度を低下させ、データ受信状態が良いと伝送速度を増加させる。
【００３７】
以下、本発明に係るＶＯＤシステムのデータ伝送速度変更方法の第２実施形態に対し、図２に基づいて説明する。
【００３８】
先ず、移動通信端末機１は基地局３を介してＶＯＤサーバー２に接続して映像サービスを要請し、該ＶＯＤサーバー２は、前記移動通信端末機１に映像データを伝送する（Ｓ２１〜Ｓ２３）。
【００３９】
次いで、前記移動通信端末機１は、受信される映像データを分析してデータ受信状態を示す電力制御情報を伝送すると同時に、データ受信状態が変化するかを判断する（Ｓ２４）。
【００４０】
この時、前記移動通信端末機１と基地局３間には電力制御情報が交換されるべきであるため、前記移動通信端末機１は、受信されたデータを分析してデータ受信状態を計算する。
【００４１】
次いで、前記段階（Ｓ２４）でデータ受信状態が変化したと判断されると、前記移動通信端末機１は、計算された電力制御情報を直接上位プロトコルパケットのヘッダーに含ませて前記ＶＯＤサーバー２に伝送する（Ｓ２５）。即ち、上位プロトコルパケットを構成するために別途の受信状態値を計算していた過程を省いて、既に計算されてある電力制御情報を上位プロトコルのヘッダーに直接含ませる。
【００４２】
次いで、前記ＶＯＤサーバー２は、前記移動通信端末機１から伝送された上位プロトコルパケットに基づいて映像データの伝送速度を変更させる（Ｓ２６）。
【００４３】
移動通信端末機１から基地局３に電力制御情報を伝送する過程と、ＶＯＤサーバー２から基地局３に電力制御情報を要請する過程と、基地局３に受信された電力制御情報に応じてＶＯＤサーバー２から移動通信端末機に伝送される映像データの伝送速度を可変させる過程と、を順次行ってＶＯＤサービスシステムのデータ伝送速度を変更させる。
【００４４】
【発明の効果】
以上説明したように、本発明に係るＶＯＤサービスシステムのデータ伝送速度変更方法においては、必要によってＶＯＤサーバーがデータ受信状態情報が含まれた電力制御情報を基地局から収集するため、上位プロトコルパケットを移動通信端末機からＶＯＤサーバーに伝送する時に消費される電力消耗を低減することが可能で、上位プロトコルパケットの構成に対するオーバーヘッド（ｏｖｅｒｈｅａｄ）を低減し得るという効果がある。
【００４５】
且つ、移動通信端末機と基地局間に交換される電力制御情報の回数だけデータ受信状態が把握されるので、データ伝送速度の正確な変更基準を獲得し得るという効果がある。
【００４６】
特に、本発明に係るＶＯＤサービスシステムのデータ伝送速度変更方法の第２実施形態においては、移動通信端末機が上位プロトコルパケットを構成するために別途の受信状態を計算する過程を省いて、計算された電力制御情報を上位プロトコルパケットのヘッダーに直接含ませてＶＯＤサーバーに伝送することで、移動通信端末機の作業負荷を減少し得るという効果がある。
【図面の簡単な説明】
【図１】本発明に係るＶＯＤサービスシステムのデータ伝送速度変更方法の第１実施形態を示したフローチャートである。
【図２】本発明に係るＶＯＤサービスシステムのデータ伝送速度変更方法の第２実施形態を示したフローチャートである。
【図３】従来ＶＯＤサービスシステムの構成を示したブロック図である。
【図４】従来ＶＯＤデータパケットの構成を示した概念図である。
【符号の説明】
１  移動通信端末機
２  ＶＯＤサーバー
３  基地局
【図１】
0003742589.tif 000002
【図２】
0003742589.tif 000003
【図３】
0003742589.tif 000004
【図４】
0003742589.tif 000005